(57)【要約】      （修正有）【課題】幼児の腕あるいは足又は腰等にしっかりと身に付けて置くことにより、どのような人にも取り除くことが不可能で、異常事態の発生が明確に分かるような装置を身に着けさせることを目的に本警報器を提供する。【解決手段】警報器１は、蓋４を開けなければ警報装置２８を操作することができなく、一旦蓋４を閉めると鉤番号表示装置２を見ながら暗証番号により表示選択釦１２を操作することにより使用者のみが蓋４を開けることができる。不信者により連れ去られ、発信ゲ−ト１７を通過すると警報発信手段２９が作動し「助けて−」等の警報音を発する。蓋４を開けない限り警報音を消音できないばかりか、ベルト９を外すこともできないため、腕又は足あるいは腰等に取り付けた警報器１は警報音を鳴らし続け、通行人あるいは店員等が駆け付けて幼児を保護する。【選択図】図１
0003100692.tif 000002
【実用新案登録請求の範囲】
【請求項１】
人体に装着され、建物及び遊園地出入口等の発信ゲ−トから発信される電磁波を受信して警報を発する警報器であって、該警報器は、電磁波受信部と電子機器部とスピ−カ等からなる警報発信手段と、電源部と、前記各部を収納するケ−ス本体と、該ケ−ス本体に鉤開閉装置を介して開閉可能に保持する蓋と、ケ−ス本体を人体側に脱着可能に取着するためのベルトとを備えるものからなり、前記鉤開閉装置の開閉は、前記ケ−ス本体外周に装着された鉤開閉スイッチと鉤番号表示装置とこれにより作動される電磁石とにより行われ、前記ベルトの長さ調節が前記ケ−ス本体内の蓋下部に設置されたベルト止により可能であり、前記警報発信手段のオンオフは、前記ケ−ス本体内に設置する発信回路スイッチにより行うことを特徴とする警報器。
【請求項２】
前記鉤開閉装置は、鉤開閉スイッチのオンオフが鉤番号表示装置の暗証番号と電磁石と鉤に連動して蓋の開閉を行うものからなることを特徴とする請求項１に記載の警報器。
【請求項３】
発信回路スイッチは、前記鉤開閉装置により蓋の開放を行うことによりオンオフが可能であることを特徴とする請求項１及び請求項２に記載の警報器。
【請求項４】
前記ベルトの調節は、前記蓋の開閉により押圧又は押圧解除可能な前記ベルト止を有することからなることを特徴とする請求項１及び請求項２に記載の警報器。
【請求項５】
前記電子機器部は、前記電磁波受信部に於いて電磁波を受信し、受信した電磁波を検波する検波部と電磁波の入力を感知することにより混合部が音声発信部を刺激し、音声発信部から音声信号を引き出し、該音声信号を増幅部に送り、増幅部は音声信号を増幅して前記スピ−カから警報音として発するものからなることを特徴とする請求項１に記載の警報器。
【考案の詳細な説明】
【技術分野】
【０００１】
本考案は、大型ス−パ−及び大型量販店または遊園地等に於いて発信ゲ−トから発信される電磁波を利用し、幼児等が誘拐された際に警報を発する警報器に関する。
【背景技術】
【０００２】
従来の警報器は、不法な行為が行われたとき、あるいは、行われようとしたときに警報のため音声を発したり、煙などを発するものが広く用いられている。しかし、現代は、多くの施設に警報装置が配備され、携帯用では、小型でポケットサイズの各種の警報装置が市販されている。携帯型で音を発するものに公知技術として「特許文献１」があり、護身用警報器として携帯電話に内蔵したものに公知技術として「特許文献２」があり、小型でロッドを引くと警戒音を発する公知技術として「特許文献３」があり、体の傾斜又は微弱電波による行動の把握、更には筐体の形により操作性を良くする消防士用の公知技術として「特許文献４」がある。
【特許文献１】特開平９−５４８７９号公報（全頁）
【特許文献２】特開２００３−１８２６９号公報（全頁）
【特許文献３】特開２００３−６７８５３号公報（全頁）
【特許文献４】特開２００３−１０９１４６号公報（全頁）
【０００３】
特開平９−５４８７９号公報の「携帯警報器」は、携帯用で音声を以って警報を発するものであるが、外部電波等からの反応はなく、音声での警報のみである。特開２００３−１８２６９号公報の「護身用警報器」は、携帯用であり音声を以って警報を発するが、携帯電話に組み込まれており、ゲ−トからの発信電波の影響は受けない。特開２００３−６７８５３号公報の「携帯用小型警報器」は、操作用ロッドの抜き挿しにより警報を発する構造になっているが、該警報器を加害者により取り去られ捨てられる危険性もあり、幼児には向かない。特開２００３−１０９１４６号公報の「携帯用小型警報器」は、かなり研究されているが、消防隊員等の専門職員が使用するものであり、いずれも幼児の携帯用警報器としては不向である。
【考案の開示】
【考案が解決しようとする課題】
【０００４】
近年、大型ス−パ−あるいは大型量販店等で幼児の誘拐が頻繁に発生しており、幼児の警戒心の低さもさることながら、保護者の注意力の弱さにも問題もあるが、遊びに夢中になる幼児、また、買物に神経を注いでしまう保護者であっても、誘拐等から幼児を守ることができないものだろうか、という社会的要求が高まっており、近代設備の整備された施設において幼児や少年を守る方法が急務とされている。
【０００５】
本考案は、以上の事情に鑑みて考案されたものであり、変質者や営利を目的に誘拐する等は許されるものではなく、ひとり一人が自分自身で守らなければならないことであり、そのためには、予め事件が発生しても対応できるよう準備しておかなければならないばかりか、事件に遭遇しても対応できるようにしておかなければならない。例えば、幼児が甘い言葉に誘われて誘拐されたとしても、それを即座に把握し対応できなければならないため、懸念される対象の幼児には警報器を持たせるべきであり、持たせた警報器を犯人によって取り除かれ捨てられるような軽易なものではなく、幼児の腕あるいは足又は腰等にしっかりと身に付けて置くことにより、どのような人にも取り除くことが不可能で、異常事態の発生が明確に分かるような装置を身に着けさせることを目的に本警報器を提供するものである。
【課題を解決するための手段】
【０００６】
本考案は、以上の目的を達成するために、人体に装着され、建物及び遊園地出入口等の発信ゲ−トから発信される電磁波を受信して警報を発する警報器であって、該警報器は、電磁波受信部と電子機器部とスピ−カとからなる警報発信手段と、電源部と、前記各部を収納するケ−ス本体と、該ケ−ス本体に鉤開閉装置を介して開閉可能に保持する蓋と、ケ−ス本体を人体側に脱着可能に取着するためのベルトとを備えるものからなり、前記鉤開閉装置の開閉は、前記ケ−ス本体外周に装着された鉤開閉スイッチと鉤番号表示装置とこれにより作動される電磁石とにより行われ、前記ベルトの長さ調節が前記ケ−ス本体内の蓋下部に設置されたベルト止により可能であり、前記警報発信手段のオンオフは、前記ケ−ス本体内に設置する発信回路スイッチにより行うことを特徴とする。客の出入りのために設置された感知用の発信ゲ−トを通過することにより警報器が作動し音声を発するものであり、該警報器は腕又は足あるいは腹部等に衣服用ベルトを以って取り付けられ、表示選択釦により暗証番号をセットすることにより非常事態に備えることができ、発信ゲ−トを通過すると他人の助けを請う音声を発するもので、他人により腕等から本警報器を離すことは不可能であり、幼児本人自信に於いて、鉤解除釦により暗証番号のセットを行うとベルトの脱着が可能な警報器である。
【０００７】
また、請求項２によれば、前記鉤開閉装置は、鉤開閉スイッチのオンオフが鉤番号表示装置の暗証番号と電磁石と鉤に連動して蓋の開閉を行うものからなることを特徴とする。誘拐を目的に幼児を狙う犯人に対して気付かれないように警報器をセットしたり、気付かれたとしても他人には決して取外しができないようにベルトをセットでき、しかも、自分自身では容易に取付け取外しができ、蓋の開閉によりベルトを掛けたり取外したりできるようにしたもので、本考案は腕あるいは足又は腰等にしっかりと取付け、警報器を以って身を守るものであり、他人には気付かれないように操作ができる腕時計サイズのワンタッチで警報装置をセットできる経済的な警報器である。
【０００８】
また、請求項３によれば、発信回路スイッチは、前記鉤開閉装置により蓋の開放を行うことによりオンオフが可能であることを特徴とする。大型量販店あるいは遊園地等に於いて幼児が誘拐されそうになって、犯人が警報器の存在に気付き警報音を止めようとしたときに止めることができないように、発信回路スイッチを警報器の蓋の中に納め、しかも、蓋は、他人には開けられないようにセットされている。
【０００９】
次に、請求項４によれば、前記ベルトの調節は、前記蓋の開閉により押圧又は押圧解除可能なベルト止を有することからなることを特徴とする。前述の如く、犯人が発信回路スイッチを押すために警報器の蓋を開けようとしても、あるいは、警報器のベルトを取外そうとしても蓋は他人には開けられないようにセットされているため、幼児の体から取外そうとしても不可能である。しかし、自分自身では、ベルトの取付けはもとより取外しや調整は容易であり、幼児により腕や足等の大きさが異る場合でも、ある限界に於いてベルトの長さの調整が可能なものである。
【００１０】
また、請求項５によれば、電子機器部は、電磁波受信部に於いて電磁波を受信し、受信した電磁波を検波する検波部と電磁波の入力を感知することにより混合部が音声発信部を刺激し、音声発信部から音声信号を引き出し、該音声信号を増幅部に送り、増幅部は音声信号を増幅してスピ−カから警報音として発するものからなることを特徴とする。建物及び遊園地等の出入口の発信ゲ−トから発信される電磁波をアンテナ等の電磁波受信部から受信することにより、音声発信部に蓄積してある「助けて−」等の音声信号を増幅部によって増幅しスピ−カから警報音として発するもので、電磁波は種々広域なものであり、電磁波受信部に於いて受信した電磁波は一定のものではなく、受信機能をかなり広域に設定し、電磁波の受信機能の範囲を広範にして置くものである。
【考案の効果】
【００１１】
１）幼児が腕等に携帯している警報器が、電磁波を放射しているゲ−トを通過することにより、近くの他人によく分かるように警戒音を発し、助けを請うというものであり、ス−パ−や大型量販店あるいは遊園地等で幼児の誘拐が発生していることから、幼児の必需品ということができ、幼児が保護者から離れて事故に遭遇し、自分の声で他人を呼ぶことができない場合、本考案の警報器が代わって人を呼び、素早い対応と操作の仕易さが必要であり、しかも、手軽で経済的であることが本考案の警報器によるものである。
【００１２】
２）鉤開閉スイッチをオンにし、暗証番号を以って鉤開閉装置を作動させなければ、蓋の開閉はできないため、他人には決して警報器の操作はできない。このことは、幼児が自分で腕や足等に取り付けたり外したり、更には、自分で警報装置をセットしたり解除したりできるものでありながら他人には何もできない。このような装置を保持しているのが本考案の警報器の重要な利点である。
【００１３】
３）警戒音を発したり止めたりするためには、発信回路スイッチをオンオフしなければならないが、そのためには、鉤開閉装置の蓋を開放状態にしなければならない。このことは、本警報器の使用者は幼児であるため、蓋の表面あるいは蓋を開けた本体の表面には幼児が好むような動植物やキャラクタ−の絵等を描いて置く等して、興味をもって蓋の開け閉めできるよう工夫している。
【００１４】
４）蓋を開けることによりベルトの取外しができ、蓋を開けることによりベルトを緩めたり外したりすることができる。蓋が「てこ」の役目をし、蓋の下方でケ−ス本体内に設置されているベルト止によりベルトをしっかりと押えたり、開放したりしていることから幼児には無理のない脱着も可能である。
【００１５】
５）近年、大型ス−パ−や大型量販店、また、遊園地等に於いて、客の出入り監視用に発信ゲ−トを設置するようになってきている。発信ゲ−トに設置された電磁波の種類は様々であるが、発信ゲ−トの真近を人間が通過するため、電磁波の受信範囲を広範に設定して置き、受信側の感知機能を高くして置くことにより発信ゲ−トからの電波を感知することができる。発信ゲ−トからの電波あるいは電磁波を感知すると、音声発信部を刺激し音声発信部は音声信号を引き出すか電磁波が弱いか音声信号の引き出しが弱い場合は、検波部で受けた電磁波を検波したまゝ増幅部に送り、増幅部は音声信号を増幅してスピ−カから警報音として発し周囲の人に告げ助けを請うものである。
【考案を実施するための最良の形態】
【００１６】
本考案は、大型ス−パ−や大型量販店あるいは遊園地等に於いて幼児の誘拐等の発生を防止するため、幼児に警報器を持たせ、保護者の注意力が失われ幼児が遊びに夢中になっているときに知らない人に連れられ、幼児が気付いたときは何もできない状態になり、そのようなときでも幼児を守ることができる警報器を持たせ、発信ゲ−トを通過するときに「助けて−」等の音声あるいは警報音を鳴らす警報器である。本考案の警報器は、ベルトにより腕あるいは足又は腰の辺りに衣服等を締め付けるベルト等にしっかりと取付けて置き、買物やゲ−ム等を楽しむときに、発信回路スイッチをオンにして置くことにより、幼児と不信者が発信ゲ−トを通過する場合には警報を発するというものである。
【実施例】
【００１７】
以下、本考案の警報器１の実施例を図面を参照に詳述する。図１は、本考案の警報器１
の側面図であり、蓋４を開けた状態を示している。蓋４を閉めると鉤５は鉤孔１４に入る。蓋４には鉤番号表示２があり、表示選択釦１２を操作すると使用者のみが認識している例
えば「５５５」の暗証番号を入力すると、蓋４は開けられるが、それ以外は開けられない。そこで、鉤開閉スイッチ１１を押し電源を切る。蓋４を開けたいときは、鉤開閉スイッチ１１を押し鉤開閉装置２７に通電し、鉤番号表示装置２を見ながら表示選択釦１２により暗証番号に合わせると電磁石６が働き鉤５が離れ蓋４が開く、蓋４を９０度近く開くことによりベルト止１３が上方に上がりベルト９が緩みベルト９を引くと抜け出る状態となる。  
【００１８】
図２は、本考案の警報器１の平面図で、電子回路部７を破線で表しているがその中に電
源部１６と発信回路スイッチ１５があり、発信回路スイッチ１５は蓋４が開かない限り押すことはできない。一旦発信回路スイッチ１５を押し警報装置２８に入電すると、蓋４を開けない限り警報装置２８を停止することはできない。
【００１９】
図３は、本考案の鉤開閉装置２７の構成図であり、電子回路部７にはコントロ−ラ２３が、ゆわば、コンピュ−タを主としており、中に瞬間開閉器２４を設け電磁石６に過剰の電力を消費させないため、電磁石６により鉤開閉弁２５を鉤５から引くと蓋４は半開きとなり、該鉤開閉弁２５には電流は瞬間でよいため瞬間開閉器２４を設置してある。
【００２０】
図４は、本考案の警報装置２８のブロック図で、量販店等の出入口及び施設又は遊園地等の発信ゲ−ト１７等から放射されている電磁波を電磁波受信部１８から受信し、受信した電磁波を検波部１９で分離し電磁波の受信を確認すると、音声発信部２２から音声等の発信音を増幅部２１に於いて音声等を増幅しスピ−カ３から警戒音を発する。この電子機器部２８を作動するのは発信回路スイッチ１５をオンにすることにより働くもので、発信回路スイッチ１５は警報器１のケ−ス本体８の中にあり、蓋４を開けない限りプッシュすることはできない。
【図面の簡単な説明】
【００２１】
【図１】警報器の蓋を９０度開けた状態の側面図である。
【図２】警報器の蓋を開けてた状態の平面図である。
【図３】警報器が蓋を開閉するための鉤開閉装置の構成図である。
【図４】警報器が音声を発するまでの警報発生手段のブロック図である。
【符号の説明】
【００２２】
１    警報器
２    鉤番号表示装置
３    スピ−カ
４    蓋
５    鉤
６    電磁石
７    電子回路部
８    ケ−ス本体
９    ベルト
１０  リベット
１１  鉤開閉スイッチ
１２  表示選択釦
１３  ベルト止
１４  鉤孔
１５  発信回路スイッチ
１６  電源部
１７  発信ゲ−ト
１８  電磁波受信部
１９  検波部
２０  混合部
２１  増幅部
２２  音声発信部
２３  コントロ−ラ
２４  瞬間開閉器
２５  鉤開閉弁
２６  バネ
２７  鉤開閉装置
２８  電子機器部
２９  警報発信手段
【図１】
0003100692.tif 000003
【図２】
0003100692.tif 000004
【図３】
0003100692.tif 000005
【図４】
0003100692.tif 000006